(57)【要約】座家具および／または寝家具のクッション、特にベッドのマットレスのための、モータにより調節可能な支持装置（２）が、長手方向ビーム（２０，２２）を有する第１の支持部分（４）と、少なくとも１つの第２の支持部分（８）とを有しており、該第２の支持部分（８）が、駆動手段によって第１の支持部分（４）に対して相対的に調節可能、特に旋回可能である。第１の支持部分（４）に設けられた少なくとも１つの第１の長手方向ビーム（２０）が、前記駆動手段の一部を収容するために中空プロファイルとして形成されている。本発明によれば、駆動モータ（２４）の、該駆動モータ（２４）の出力軸とは反対の側の端部が、第１の長手方向ビーム（２０）の外部に配置されており、この場合、該第１の長手方向ビーム（２０）の、他方の長手方向ビーム（２２）に向かい合って位置する側壁（２６）に切欠き（５６）が形成されており、該切欠き（５６）を通じて駆動モータ（２４）の出力軸または駆動モータ（２４）の出力軸に回転駆動結合されている第１の伝動装置エレメントが第１の長手方向ビーム（２０）の内部に突入していて、第１の長手方向ビーム（２０）の内部に配置された第２の伝動装置エレメントと係合している。本発明による支持装置（２）は特に簡単に、ひいては廉価に製造可能であって、かつ特にコンパクトである。
2006526439.tif 000002
【特許請求の範囲】
【請求項１】
座家具および／または寝家具のクッション、特にベッドのマットレスのための、モータにより調節可能な支持装置であって、
長手方向ビームを有する第１の支持部分が設けられており、
少なくとも１つの第２の支持部分が設けられており、該第２の支持部分が、少なくとも１つの駆動モータを有する駆動手段によって第１の支持部分に対して相対的に調節可能、特に旋回可能であり、
第１の支持部分に設けられた少なくとも１つの第１の長手方向ビームが、前記駆動手段の一部を収容するために中空プロファイルとして形成されている
形式のものにおいて、
駆動モータ（２４）または該駆動モータ（２４）の、該駆動モータの出力軸とは反対の側の少なくとも一方の端部が、第１の長手方向ビーム（２０）の外部に配置されており、
該第１の長手方向ビーム（２０）の、他方の長手方向ビーム（２２）に向かい合って位置する側壁に切欠き（５６）が形成されており、
該切欠き（５６）を通じて駆動モータ（２４）が、前記駆動手段の、第１の長手方向ビーム（２０）の内部に配置された部分に駆動結合されている
ことを特徴とする、座家具および／または寝家具のクッション、特にベッドのマットレスのための、モータにより調節可能な支持装置。
【請求項２】
前記切欠きを通じて、駆動モータ（２４）の出力軸または駆動モータ（２４）の、該駆動モータ（２４）の出力軸を支持する端部または駆動モータ（２４）の出力軸に回転駆動結合された第１の伝動装置エレメントが、第１の長手方向ビーム（２０）の内部へ突入しており、第１の伝動装置エレメントが、第１の長手方向ビーム（２０）の内部に配置された第２の伝動装置エレメントと係合している、請求項１記載の支持装置。
【請求項３】
駆動モータ（２４）がほぼ完全に第１の長手方向ビーム（２０）の外部に配置されている、請求項１記載の支持装置。
【請求項４】
第１の伝動装置エレメントがウォーム伝動装置のウォーム（２８）であり、該ウォーム伝動装置のウォーム歯車（３０）が第１の長手方向ビーム（２０）の内部に配置されていて、第２の伝動装置エレメントを形成している、請求項１記載の支持装置。
【請求項５】
ウォーム（２８）が駆動モータ（２４）の出力軸に相対回動不能に結合されており、特に駆動モータ（２４）の出力軸に一体成形されている、請求項４記載の支持装置。
【請求項６】
駆動モータ（２４）が鉛直方向で第１の長手方向ビーム（２０）を超えてはみ出さないように駆動モータ（２４）が、側面図で見てほぼ第１の長手方向ビーム（２０）のプロファイル高さ（ｈ）内に位置している、請求項１記載の支持装置。
【請求項７】
前記支持部分（４，８，１０，１２，１４，１６）がばねエレメント、特にばね弾性的なすのこ状のスラット（１８）を支持しており、該スラット（１８）に当該支持装置（２）の使用時に座家具および／または寝家具のクッションが支持されている、請求項１記載の支持装置。
【請求項８】
駆動モータ（２４）が、線状運動可能な駆動エレメントに駆動結合されており、該駆動エレメントが第１の長手方向ビーム（２０）の内部に配置されていて、調節されるべき支持部分に作用結合されている、請求項１記載の支持装置。
【請求項９】
線状運動可能な駆動エレメントがスピンドルナット（３６）であり、該スピンドルナット（３６）が、回動防止されてかつ軸方向では可動にねじ山付きスピンドル（３２）に装着配置されており、該ねじ山付きスピンドル（３２）が駆動モータ（２４）に回転駆動結合されている、請求項８記載の支持装置。
【請求項１０】
線状運動可能な駆動エレメントが、回動防止されて支承された、軸方向では可動のねじ山付きスピンドルであり、該ねじ山付きスピンドルに位置不動のスピンドルナットが装着配置されており、該スピンドルナットが駆動モータに回転駆動結合されている、請求項８記載の支持装置。
【請求項１１】
第１の伝動装置エレメントの駆動モータ（２４）の出力軸の回転軸線（４６）が、第１の長手方向ビーム（２０）の長手方向軸線（５０）もしくは線状運動可能な駆動エレメントの線状の運動軸線と共に鋭角の角度、特に約９０゜の角度を形成している、請求項１から８までのいずれか１項記載の支持装置。
【請求項１２】
第１の長手方向ビーム（２０）のプロファイル高さが、１００ｍｍよりも小さい、有利には約８５ｍｍよりも小さい、請求項１記載の支持装置。
【請求項１３】
第１の支持部分（４）が位置不動の定位置の支持部分である、請求項１記載の支持装置。
【請求項１４】
前記切欠き（５６）が、第１の長手方向ビーム（２０）の端部から遠ざけられて第１の長手方向ビーム（２０）に形成されている、請求項１記載の支持装置。
【請求項１５】
駆動モータ（２４）が、有利にはボックス状の化粧カバー（５８）内に収容されている、請求項１記載の支持装置。
【請求項１６】
化粧カバー（５８）が第１の長手方向ビーム（２０）に解離可能に結合されている、請求項１５記載の支持装置。
【請求項１７】
化粧カバー（５８）が第１の長手方向ビーム（２０）と一体に形成されている、請求項１５記載の支持装置。
【請求項１８】
当該支持装置（２）がスラットベースとして形成されている、請求項１記載の支持装置。
【発明の詳細な説明】
【技術分野】
【０００１】
本発明は、請求項１の上位概念部に記載の形式の、座るための家具である座家具（Sitzmoebel）および／または寝るための家具である寝家具（Liegemoebel）のクッション、特にベッドのマットレスのための、モータにより調節可能な支持装置に関する。
【０００２】
このような形式の支持装置は、たとえばすのこ状のスラットベース（Lattenrost）の形で一般に知られていて、たとえばベッドのマットレスを面状に支持するために働く。
【０００３】
ドイツ連邦共和国特許第１９９６２５４１号明細書に基づき、このような形式のモータ調節可能な支持装置が公知である。この公知の支持装置は、互いに平行な複数の長手方向ビームを有する第１の支持部分を有している。上記ドイツ連邦共和国特許第１９９６２５４１号明細書に基づき公知の支持装置では、この第１の支持部分が位置固定の、つまり定位置の真ん中の支持部分により形成されている。この公知の支持装置はさらに別の複数の支持部分を有しており、これらの支持部分は駆動手段によって第１の支持部分に対して相対的に調節可能である。上記ドイツ連邦共和国特許第１９９６２５４１号明細書に基づき公知の支持装置では、第１の支持部分の第１の長手方向ビームが、駆動手段の一部を収容するために中空プロファイル、つまり中空成形材として形成されており、この場合、駆動モータを含めた駆動装置全体が中空の第１の長手方向ビーム内に収容されている。このことに基づき、駆動モータは第１の長手方向ビームの鉛直方向では第１の長手方向ビームを超えてはみ出していないので、この公知の支持装置は極めて小さな構成高さを有している。さらに、上記ドイツ連邦共和国特許第１９９６２５４１号明細書に基づき公知の支持装置は極めて見栄えの良い外観を有している。なぜならば、この支持装置は外観的には、モータ調節可能ではない慣用の支持装置と変わりないからである。
【０００４】
国際公開第９６／２９９７０号パンフレットに基づき、ベッドのマットレスのための、モータにより調節可能な支持装置が公知である。この公知の支持装置は支持装置の長手方向で連続している複数の支持部分を有しており、これらの支持部分は駆動手段によって第１の支持部分に対して相対的に旋回可能である。これらの支持部分は外側のフレームに支承されている。このフレームのプロファイル高さ（成形材高さ）は支持部分のプロファイル高さよりも著しく大きく形成されている。上記国際公開第９６／２９９７０号パンフレットに基づき公知の支持装置では、外側のフレームの一部が中空プロファイルとして形成されており、この場合、この中空プロファイル内に、前記支持部分を互いに相対的に調節するための駆動手段の一部が収容されている。駆動モータは外側のフレームの一部の内側に配置されている。
【０００５】
ＤＥ６９５０７１５８Ｔ２およびＥＰ０７８８３２５Ｂ１に基づき、それぞれベッドのマットレスのための、モータにより調節可能な支持装置が公知である。この公知の支持装置は長手方向ビームを有する第１の支持部分と、少なくとも１つの第２の支持部分とを有している。この第２の支持部分は駆動手段によって第１の支持部分に対して相対的に旋回可能である。この公知の支持装置では、駆動モータが支持装置の基面の外部に配置されていて、第１の支持部分に設けられたフレーム状の延長部に取り付けられている。
【０００６】
本発明の根底を成す課題は、請求項１の上位概念部に記載の形式の、モータにより調節可能な支持装置を改良して、小さな構成高さを有しかつ簡単にかつ廉価に製造可能となるような支持装置を提供することである。
【０００７】
この課題は、請求項１の特徴部に記載の構成により解決される。
【０００８】
本発明による構成の基本思想は、駆動手段、特に駆動手段の伝動装置をできるだけ大規模に第１の支持部分の中空の第１の長手方向ビーム内に収容し、ただし駆動モータを第１の長手方向ビームの外部に配置することにある。駆動モータが第１の長手方向ビームの外部に配置されていて、かつたとえば駆動モータの出力軸に回転駆動結合されている第１の伝動装置エレメントだけが第１の長手方向ビームの内部に突入して延びていることにより、駆動装置の全ての構成部分が中空の長手方向ビーム内に収容されているような構成に比べて伝動装置の選択の際の空間的な自由度が高められている。特に本発明による構成に基づき、単純で、ひいては廉価な伝動装置を使用することができるので、本発明による支持装置は全体的に特に簡単に、ひいては廉価に製造可能となる。
【０００９】
駆動モータが、たとえば第１の長手方向ビームの、他方の長手方向ビームに向かい合って位置する側壁に形成された切欠き内に配置されていることにより、駆動モータは第１の長手方向ビームの側面図で見て少なくとも部分的に目隠しされており、これによって目につかないようになっている。
【００１０】
駆動モータが支持装置の外側のフレームに配置されているのではなく、前記支持部分のうちの１つに直接に配置されていることにより、特にコンパクトでかつスペース節約的な構造が得られる。
【００１１】
「支持部分」とは本発明によれば、クッションを支持するためのばね支承エレメント、たとえばばね弾性的なすのこ状のスラットを支持し、かつクッションの支持時に生じる支持力を吸収する構成部分を意味する。支持部分は、たとえば支持装置の長手方向ビームにより形成されていてよい。長手方向ビームは、長手方向ビームに直交する方向に延びるクロスビームを介して互いに結合されていて、その上面にばね支承エレメント、たとえばばね弾性的なすのこ状のスラットを支持している。それに対して、スラットベースの外側のフレームは、たとえばスラットベースをベッド架台に挿入するためにしか働かず、ばね支承エレメントを支持していないので、このフレームは本発明の枠内では支持部分を形成するものではない。
【００１２】
原則的には本発明によれば、駆動モータの、出力軸を支持する端部が部分的に前記切欠きを通じて第１の長手方向ビームの内部に突入していることが可能である。しかし、駆動モータがほぼ完全に第１の長手方向ビームの外部に配置されていると有利である。このような実施態様では、たとえば駆動モータの出力軸またはこの出力軸に回転駆動結合されている第１の伝動装置エレメントだけが第１の長手方向ビームの内部に突入していてよい。
【００１３】
本発明によれば、第１の支持部分の、場合によっては設けられたクロスビームも中空プロファイルとして形成されていて、駆動手段の一部を収容していてよい。その場合、前記切欠きはクロスビームに形成されており、駆動モータはクロスビームに配置されている。
【００１４】
本発明によれば、任意の適当な伝動装置を使用することができる。この場合、伝動装置は極めて単純な事例では、単に２つの伝動装置エレメントから成っている。すなわち、この場合、伝動装置は、たとえば前記切欠きを通じて第１の長手方向ビームの内部に突入して延びる第１の伝動装置エレメントと、第１の長手方向ビームの内部に配置された第２の伝動装置エレメントとから成っている。しかし、伝動装置の、第１の長手方向ビームの内部に配置された部分に、かつ／または伝動装置の、第１の長手方向ビームの外部に配置された部分に、付加的な伝動装置エレメントを設けることも可能である。
【００１５】
特に単純な、ひいては廉価であると同時に頑丈な構造を得るために、本発明による構成の極めて有利な改良形では、第１の伝動装置エレメントがウォーム伝動装置のウォームであり、該ウォーム伝動装置のウォーム歯車が第１の長手方向ビームの内部に配置されていて、第２の伝動装置エレメントを形成している。このようなウォーム伝動装置は単純でかつ廉価で、しかも丈夫な規格構成アッセンブリとして提供されていて、既に１つの段で高い減速比を可能にする。必要に応じて、本発明によれば複数のウォーム伝動装置を直列に接続することができる。このような実施態様を運動学的に逆転させた形では、第１の伝動装置エレメントがウォーム伝動装置のウォーム歯車であってもよい。その場合、このウォーム伝動装置のウォームは第１の長手方向ビームの内部に配置されていて、第２の伝動装置エレメントを形成している。
【００１６】
原則的に、前で挙げた実施態様では、ウォームと駆動モータの出力軸との間に、さらにウォームと出力軸との間の回転駆動結合を形成する付加的な伝動装置エレメントが設けられていてよい。しかし、特に単純で、ひいては特に廉価な構造を得るためには、ウォームが駆動モータの出力軸に相対回動不能に結合されており、特に駆動モータの出力軸に一体成形されていることが有利である。
【００１７】
本発明による支持装置の特に小さな構成高さを得るために、本発明による構成の特に有利な改良形では、駆動モータが鉛直方向で第１の長手方向ビームを超えてはみ出さないように、または第１の長手方向ビームを超えて僅かにしかはみ出さないように、駆動モータが、側面図で見てほぼ完全に第１の長手方向ビームのプロファイル高さ内に位置している。
【００１８】
前記支持部分がばねエレメント、特にばね弾性的なすのこ状のスラットを支持しており、該スラットに当該支持装置の使用時に座家具および／または寝家具のクッションが支持されていると有利である。ばねエレメントの形状、大きさおよび数はその都度の要求に応じて広い範囲内で選択可能である。
【００１９】
調節したい支持部分への駆動モータの駆動トルクの伝達は、任意の適当な形式で行われ得る。しかし有利な改良形では、駆動モータが、線状運動可能な駆動エレメントに駆動結合されており、該駆動エレメントが第１の長手方向ビームの内部に配置されていて、調節したい支持部分に作用結合されている。このような実施態様では、駆動モータの出力軸の回転運動が、線状運動可能な駆動エレメントの線状運動へ変換される。このような実施態様では、たとえば調節したい所定の支持部分に相対回動不能に結合された軸の旋回運動を特に簡単に得ることができる。
【００２０】
上に挙げた実施態様の改良形では、線状運動可能な駆動エレメントがスピンドルナットであり、該スピンドルナットが、回動防止されてかつ軸方向では可動にねじ山付きスピンドルに装着配置されており、該ねじ山付きスピンドルが駆動モータに回転駆動結合されている。このような実施態様では、駆動モータの出力軸の回転運動の、線状運動への変換がスピンドル伝動装置によって行われる。このようなスピンドル伝動装置は単純でかつ廉価な規格構成部品として提供されている。スピンドル伝動装置は大きな力の伝達のために適していて、特に頑丈である。
【００２１】
前で挙げた実施態様を運動学的に逆転させた形では、線状運動可能な駆動エレメントが、回動防止されて支承された、軸方向では可動のねじ山付きスピンドルであってもよい。その場合、ねじ山付きスピンドルには位置固定のスピンドルナットが装着配置されており、該スピンドルナットが駆動モータに回転駆動結合されている。
【００２２】
前で挙げた両実施態様では、スピンドル伝動装置がそれぞれ有利には第１の長手方向ビームの内部に配置されている。
【００２３】
本発明による構成のさらに別の改良形では、駆動モータの出力軸の回転軸線または第１の伝動装置エレメントの回転軸線が、第１の長手方向ビームの長手方向軸線もしくは線状運動可能な駆動エレメントの線状の運動軸線と共に鋭角の角度、特に約９０゜の角度を形成している。特に第１の伝動装置エレメントの回転軸線と第１の長手方向ビームの長手方向軸線との間の角度が約９０゜であると、特に単純で、ひいては廉価な構造が得られる。なぜならば、伝動装置が、たとえば単純なウォーム伝動装置により形成されていてよく、その場合ウォームの回転軸線とウォーム歯車の回転軸線とが互いにほぼ直交しているからである。
【００２４】
小さな構成高さを有するコンパクトな構造を得るためには、第１の長手方向ビームのプロファイル高さが、１００ｍｍよりも小さい、有利には約８５ｍｍよりも小さいことが有利である。
【００２５】
原理的には、第１の支持部分が、可動の支持部分、たとえば別の支持部分に対して相対的に旋回可能な支持部分であってよい。しかし本発明による構成の改良形では、第１の支持部分が位置不動の定位置の支持部分である。このような実施態様では、駆動モータが、定位置の支持部分に配置されているので、駆動モータも同じく位置不動となる。このような実施態様では、構造が特に単純に、ひいては廉価に形成されている。
【００２６】
本発明に夜構成の別の改良形では、前記切欠きが、第１の長手方向ビームの端部から遠ざけられて第１の長手方向ビームに形成されている。
【００２７】
駆動モータを一層目立たなくさせ、こうして本発明による支持装置の視覚的な印象を一層改善するために、本発明の改良形では、駆動モータが、有利にはボックス状の化粧カバー内に収容されている。この化粧カバーは駆動モータ全体を取り囲むか、または駆動モータをほぼ完全に取り囲んでいてよく、こうして駆動モータを目隠しすることができる。
【００２８】
その都度の要求に応じて、本発明による構成の改良形に規定されているように、化粧カバーは第１の長手方向ビームに解離可能に結合されているか、または第１の長手方向ビームと一体に形成されていてよい。
【００２９】
当該支持装置は本発明の改良形に規定されているように、スラットベースとして形成されている。
【００３０】
以下に、本発明を図面につき詳しく説明する。図面には、本発明による支持装置の実施例が図示されている。この場合、特許請求の範囲における要約またはその引用ならびに明細書もしくは図面における定義および描写とは無関係に、前記特徴または図示の特徴は全てそれ自体単独の形で、あるいは任意の組合せの形で本発明の対象を成している。
【００３１】
図１は、スラットベースの形の本発明による支持装置の第１実施例を上から見た斜視図であり、
図２は、図１に示した支持装置を下から見た斜視図であり、
図３は、図１に示した支持装置の細部を示す側面図であり、この場合、中空プロファイルとして形成された第１の長手方向ビームの半部が図示されておらず、
図４は、図３に示した長手方向ビームを上から見た図であり、
図５は、図４に示した長手方向ビームをもう一度示す図面であり、この場合、長手方向ビームの第２の半部が図示されており、
図６は、図５のＶＩ−ＶＩ線に沿った断面図でおり、
図７は、本発明による支持装置の第２実施例を示す、図５と同様の図であり、
図８は、図７のＶＩＩＩ−ＶＩＩＩ線に沿った断面図である。
【００３２】
図面中、同一の構成部分もしくは互いに一致する構成部分は同じ符号で示されている。
【００３３】
図１には、座家具および／または寝家具のクッションのための、モータにより調節可能な本発明による支持装置２の第１実施例が図示されている。この支持装置は本実施例ではベッドのマットレスを支持するために働く。支持装置２は、この支持装置２の長手方向で連続している複数の支持部分を有している。本実施例では、支持装置２が第１の支持部分４を有しており、この第１の支持部分４は本実施例では、支持装置２の位置不動の定位置の真ん中の支持部分を形成していて、支持装置２の外側のフレーム６に結合されている。真ん中の支持部分４の片側には、水平な旋回軸線を中心にして旋回可能に脊柱支持部分８が枢着結合されている。この脊柱支持部分８の、真ん中の支持部分４とは反対の側には、水平な旋回軸線を中心にして旋回可能に上半身支持部分１０が枢着結合されている。この上半身支持部分１０の、脊柱支持部分８とは反対の側には、水平な旋回軸線を中心にして旋回可能に頭部支持部分１２が枢着結合されている。
【００３４】
真ん中の支持部分４の、脊柱支持部分８とは反対の側には、水平な旋回軸線を中心にして旋回可能に脚支持部分１４が枢着結合されている。この脚支持部分１４の、真ん中の支持部分４とは反対の側には、水平な旋回軸線を中心にして旋回可能にふくらはぎ支持部分１６が枢着結合されている。
【００３５】
前記各支持部分８，１０，１２，１４，１６を互いに相対的に、もしくは真ん中の支持部分４に対して相対的に調節するためには、電動モータ式の駆動手段（さらに下で詳しく説明する）が設けられている。電圧供給手段および電圧供給のための制御手段もしくは駆動手段の制御のための制御手段は図示されていない。
【００３６】
支持部分４，８，１０，１２，１６の上面は、ばねエレメントを支持している。これらのばねエレメントは本実施例では、ばね弾性的なすのこ状のスラットにより形成されている。図面では、これらのスラットのうちの１つだけが符号１８を備えている。「支持部分」とは本発明によれば、支持装置の、クッションを支持するためのスラット１８またはその他のばねエレメントを支持する部分を意味する。したがって、外側のフレーム６は本発明の枠内では支持部分を成していない。
【００３７】
支持部分４，８，１０，１２，１４，１６は図１には、調節運動の第１の終端位置で図示されている。この第１の終端位置は支持装置２の着座位置を形成している。調節運動の、図示されていない他方の終端位置では、各支持部分４，８，１０，１２，１４，１６が、図示されていないクッションを面状に支持するためのほぼ平坦な１つの面を形成する。
【００３８】
図２には、図１に示した支持装置を下から見た斜視図が示されている。真ん中の支持部分４は支持装置２の長手方向に延びる第１の長手方向ビーム２０と、支持装置２の長手方向に延びる第２の長手方向ビーム２２とを有している。第１第２の両長手方向ビーム２０，２２は本実施例では、駆動手段の構成部分を収容するために中空プロファイル、つまり中空成形材として形成されていて、互いにほぼ平行に延びている。
【００３９】
本発明によれば、第１の長手方向ビーム２０の外側で、第１の長手方向ビーム２０の、第２の長手方向ビーム２２に向かい合って位置する側壁２６に駆動モータ２４が配置されて固定されている。図２からは判らないので念のため説明しておくと、側壁２６には孔もしくは切欠きが形成されていて、本実施例ではこの孔もしくは切欠きを通じて、駆動モータ２４の出力軸に回転駆動結合されている第１の伝動装置エレメントが第１の長手方向ビーム２０の内部に突入していて、第１の長手方向ビーム２０の内部に配置された第２の伝動装置エレメントと係合している。
【００４０】
図３には、第１の長手方向ビーム２０の側面図が示されている。ただし図面の関係上、第１の長手方向ビーム２０の半部は図示されていない。図３から判るように、第１の長手方向ビーム２０は中空プロファイルとして形成されており、この場合、本実施例では駆動モータ２４を除いて駆動手段の全ての構成部分が第１の長手方向ビーム２０の中空の内部に収容されている。すなわち、駆動手段は本実施例ではウォーム伝動装置を有しており、このウォーム伝動装置のウォーム２８は駆動モータ２４の出力軸に一体成形されている。このウォーム２８は第１の長手方向ビーム２０の内部に突入していて、第１の長手方向ビーム２０の内部に回転可能に支承されたウォーム歯車３０と噛み合っている。このウォーム歯車３０は第１の長手方向ビーム２０の内部に回転可能に支承されたねじ山付きスピンドル３２に相対回動不能に結合されている。このねじ山付きスピンドル３２には、このねじ山付きスピンドル３２の軸方向で二重矢印３４の方向に運動可能なスピンドルナット３６が装着配置されている。このスピンドルナット３６は回動防止されて支承されていて、駆動手段の線状運動可能な駆動エレメントを形成している。スピンドルナット３６には、チェーン３８の一方の端部が結合されており、この場合、この結合部は引張強さを有している。チェーン３８の他方の端部はチェーンセグメント４０と噛み合っていて、このチェーンセグメント４０に位置固定されている。チェーンセグメント４０は、第１の長手方向ビーム２０と第２の長手方向ビーム２２とに回転可能に支承された軸４２に相対回動不能に結合されている。この軸４２には、調節レバー４４が相対回動不能に結合されており、この調節レバー４４は脊柱支持部分８と上半身支持部分１０と頭部支持部分１２とを旋回させるために働く。
【００４１】
真ん中の支持部分４に対して相対的に脊柱支持部分８と上半身支持部分１０と頭部支持部分１２とを旋回させるためには、駆動モータ２４がねじ山付きスピンドル３２を駆動し、この場合、駆動モータ２４は、スピンドルナット３６が図３で見て右側へ向かって移動するようにねじ山付きスピンドル３２を駆動する。チェーン３８を介してスピンドルナット３６とチェーンセグメント４０とが引張強さを有する結合を形成していることに基づき、チェーンセグメント４０は図３で見て時計回り方向に旋回し、これにより軸４２と調節レバー４４とが同じく図３で見て時計回り方向に旋回し、このときに脊柱支持部分８と上半身支持部分１０と頭部支持部分１２とを、これらの支持部分がほぼ平坦な１つの面を形成している出発位置から、図１に示した調節運動の終端位置へ運動させる。旋回レバー４４から各支持部分８，１０，１２への旋回運動の伝達は当業者にとって既知の形式で行われるので、所属の構成部分についての詳しい説明は省略する。
【００４２】
図１に示した実施例では、第２の長手方向ビーム２２に駆動手段が収容されており、この駆動手段には駆動モータ２４´が対応している。この駆動手段は脚支持部分１４およびふくらはぎ支持部分１６を調節するために働く（詳しくは説明しない）。
【００４３】
駆動モータ２４の駆動力は第１の長手方向ビーム２０の側から伝達機構（図示しない）によって第２の長手方向ビーム２２の側へ伝達されるので、駆動モータ２４の駆動力は支持装置２の長手方向中心平面に関してほぼ対称的に脊柱支持部分８と上半身支持部分１０と頭部支持部分１２とに導入される。これに対して相応して、駆動モータ２４´の駆動力も伝達機構（図示しない）によって第２の長手方向ビーム２２の側から第１の長手方向ビーム２０の側へ伝達されるので、駆動モータ２４´の駆動力は支持装置２の長手方向中心平面に関してほぼ対称的に脚支持部分１４とふくらはぎ支持部分１６とに導入される。
【００４４】
上記構成の変化形では、支持部分８，１０，１２を調節するために２つの駆動モータを設けることも可能である。両駆動モータのうち一方の駆動モータは第１の長手方向ビーム２０に配置されていて、他方の駆動モータは第２の長手方向ビーム２２に配置されており、その場合、両駆動モータは互いに同期的に制御される。これに対して相応して、脚支持部分１４とふくらはぎ支持部分１６とを調節するために、互いに同期的に制御される２つの駆動モータを設けることも可能である。その場合、一方の駆動モータは第１の長手方向ビーム２０に配置されていて、他方の駆動モータは第２の長手方向ビーム２２に配置されている。
【００４５】
図３から判るように、駆動モータ２４は図３に示した側面図で見て第１の長手方向ビーム２０のプロファイル高さ（成形材高さ）Ｈ内に位置しており、この場合、駆動モータ２４は鉛直方向で第１の長手方向ビーム２０を超えてはみ出していない。
【００４６】
こうして、支持装置２の特に小さな構成高さが得られる。
【００４７】
図３からさらに判るように、ウォーム２８の、図３で見て図平面から直角に延びる回転軸線４６は、図３に破線４８により示したウォーム歯車３０の回転軸線４８と共に約９０゜の角度を形成している。こうして、ウォーム伝動装置２８，３０により形成された伝動装置の単純でかつコンパクトな構造が得られる。
【００４８】
真ん中の支持部分４が、その他の支持部分８，１０，１２，１４，１６の調節時に運動させられない位置不動の定位置の支持部分であるので、駆動モータ２４も常に位置不動にその位置に留まっている。こうして、この構造は一層単純化されている。
【００４９】
図４には、第１の長手方向ビーム２０を上から見た図が示されている。図面上の都合上、第１の長手方向ビーム２０の一部は図示されていない。図面から判るように、駆動モータ２４は第１の長手方向ビーム２０の、真ん中の支持部分４の第２の長手方向ビーム２２（図４には認められない）に面した側壁２６に配置されている。取付けは任意の適当な形式で行われ得る。特に駆動モータ２４は第１の長手方向ビーム２０に着脱可能に固定されていてよい。特に駆動モータ２４を、特にアングル状に形成された保持部に配置することが可能である。その場合、この保持部は第１の長手方向ビーム２０の内部に係合していて、任意の適当な手段によって特に形状接続的に、つまり嵌合に基づいた係合により、第１の長手方向ビーム２０の内部に位置固定されている。
【００５０】
図４からさらに判るように、駆動モータ２４の出力軸に一体成形されたウォーム２８の、図４に一点鎖線４６により示した回転軸線は、第１の長手方向ビーム２０の、図４に一点鎖線５０により示した長手方向軸線と共に約９０゜の角度を形成している。この場合、長手方向軸線５０は本実施例ではスピンドルナット３４の線状の調節軸線と合致している。
【００５１】
図５は、図４と同様に第１の長手方向ビーム２０を上から見た図が示されている。この場合、第１の長手方向ビーム２０の、図４には図示されていなかった部分が図示されている。
【００５２】
図６には、図５のＶＩ−ＶＩ線に沿った断面図が示されている。図６から判るように、駆動モータ２４のハウジング５２は第１の長手方向ビーム２０の中空の内部５４のほぼ完全に外部に配置されている。それに対して駆動モータ２４の出力軸およびこの出力軸に一体成形されたウォーム２８は、第１の長手方向ビーム２０の側壁２６に設けられた、図６に符号５６で示された切欠きを通じて第１の長手方向ビーム２０の内部に突入していて、第１の長手方向ビーム２０の内部に配置されたウォーム歯車３０と噛み合っている。
【００５３】
図７には、本発明による支持装置の第２実施例が示されている。この第２実施例は図１に示した第１実施例とは次の点で異なっている。すなわち、第２実施例では、駆動モータ２４がボックス状の化粧カバー５８内に収容されている。この化粧カバー５８は第２実施例では第１の長手方向ビーム２０に解離可能に結合されている。
【００５４】
図８には、図７のＶＩＩＩ−ＶＩＩＩ線に沿った断面図が示されている。
【００５５】
本発明による支持装置は特にコンパクトでかつスペース節約的な構造を有している。なぜならば、駆動モータ２４が一方では第１の長手方向ビーム２０のプロファイル高さ内に位置していて、したがって第１の長手方向ビーム２０を超えてはみ出しておらず、他方では第１の長手方向ビーム２０と第２の長手方向ビーム２２との互いに向かい合って位置する側壁の間に収容されているからである。さらに本発明による支持装置２は、特に調節したい支持部分へ駆動モータ２４の駆動トルクを伝達するために単純なウォーム伝動装置を使用することに基づき、特に単純な構造で、ひいては特に廉価に製造可能である。
【図面の簡単な説明】
【００５６】
【図１】スラットベースの形の本発明による支持装置の第１実施例を上から見た斜視図である。
【図２】図１に示した支持装置を下から見た斜視図である。
【図３】図１に示した支持装置の細部を示す側面図であり、この場合、中空プロファイルとして形成された第１の長手方向ビームの半部が図示されていない。
【図４】図３に示した長手方向ビームを上から見た図である。
【図５】図４に示した長手方向ビームをもう一度示す図面であり、この場合、長手方向ビームの第２の半部は図示されている。
【図６】図５のＶＩ−ＶＩ線に沿った断面図である。
【図７】本発明による支持装置の第２実施例を示す、図５と同様の図である。
【図８】図７のＶＩＩＩ−ＶＩＩＩ線に沿った断面図である。
【図１】
2006526439.tif 000003
【図２】
2006526439.tif 000004
【図３】
2006526439.tif 000005
【図４】
2006526439.tif 000006
【図５】
2006526439.tif 000007
【図６】
2006526439.tif 000008
【図７】
2006526439.tif 000009
【図８】
2006526439.tif 000010
【国際調査報告】
2006526439.tif 000011
2006526439.tif 000012
2006526439.tif 000013
2006526439.tif 000014
2006526439.tif 000015
2006526439.tif 000016